(57)【要約】【課題】レンチで被締付物を締め付ける場合にワンステップ且つ正確に挟持し、快適な操作が可能となり、被締付物を開口の先端に挟持するだけで締め付けることができ、操作スペースを小さくし、より大きいナットの締緩に用いられるとともに挟持を容易にし、歯面及び平面での挟持により、レンチを容易にリセットするとともに、ナットを締め付けると抜き出さないＶ字型のバイオニックレンチの提供。【解決手段】本発明に係るＶ字型のバイオニックレンチは、ハンドルと、ハンドルに設けられる固定顎と、可動顎と、ウォームギヤと、ラックとを含む。可動顎は、ラックに設けられる。ウォームギヤは、ハンドルに設けられてラックに噛合される。可動顎と固定顎との挟持面は、Ｖ字型の開口に成形される。【選択図】図２
2017526547.tif 000002
【特許請求の範囲】
【請求項１】
Ｖ字型のバイオニックレンチであって、
ハンドルと、ハンドルに設けられる固定顎と、可動顎と、ウォームギヤと、ラックとを含み、
前記可動顎は、前記ラックに設けられ、
前記ウォームギヤは、前記ハンドルに設けられて前記ラックに噛合され、
前記可動顎と前記固定顎との挟持面は、Ｖ字型の開口に成形されることを特徴とするＶ字型のバイオニックレンチ。
【請求項２】
前記固定顎は、固定顎本体及び楔形スライダーを含み、
前記楔形スライダーは、前記固定顎本体に固定的に設けられ、
前記楔形スライダーと前記可動顎との挟持面は、Ｖ字型の開口に成形されることを特徴とする請求項１に記載のＶ字型のバイオニックレンチ。
【請求項３】
前記固定顎は、固定顎本体、楔形スライダー及び柱形スライドレールを含み、
前記柱形スライドレールは、前記楔形スライダーの挟持面に対向する背面に固定的に設けられ、
前記固定顎本体には、前記柱形スライドレールを収容可能なシュート孔が設けられ、
前記楔形スライダーと前記可動顎との挟持面は、Ｖ字型の開口に成形されることを特徴とする請求項１に記載のＶ字型のバイオニックレンチ。
【請求項４】
バネ及びバネピンをさらに含み、
前記柱形スライドレールの前端には、バネフックが設けられ、
前記バネピンは、前記固定顎本体の外部から挿入されて、前記柱形スライドレールの後端に位置し、
前記バネは、一端が前記バネフックに掛けられ、他端が前記バネピンに掛けられるように構成されることを特徴とする請求項３に記載のＶ字型のバイオニックレンチ。
【請求項５】
ストッパピンをさらに含み、
前記柱形スライドレールの両端には、ストッパブロックがそれぞれ設けられ、
前記バネは、２つの前記ストッパブロックの間に位置し、
前記ストッパピンは、前記固定顎本体を貫通して、前記バネピンと前記柱形スライドレールの後端におけるストッパブロックとの間に位置することを特徴とする請求項４に記載のＶ字型のバイオニックレンチ。
【請求項６】
ストッパピンをさらに含み、
前記楔形スライダーは、柱形スライドレールと一体成形され、
前記柱形スライドレールには、凹部が設けられ、
前記ストッパピンは、前記固定顎本体を貫通して前記凹部内に位置することを特徴とする請求項３に記載のＶ字型のバイオニックレンチ。
【請求項７】
前記楔形スライダーの挟持面は、鋸刃状の斜面であることを特徴とする請求項２乃至６のいずれか一項に記載のＶ字型のバイオニックレンチ。
【請求項８】
前記楔形スライダーの挟持面の根元部は、前記可動顎の挟持面と平行になる平面状に成形され、
前記楔形スライダーの挟持面は、前記根元部から上に向かって鋸刃状の斜面に成形されることを特徴とする請求項２乃至６のいずれか一項に記載のＶ字型のバイオニックレンチ。
【発明の詳細な説明】
【技術分野】
【０００１】
本発明は、手動工具に関し、特にＶ字型のバイオニックレンチに関する。
【背景技術】
【０００２】
従来のレンチは、六角ナットや四角ナットの締め付けのみに用いられ、パイプ状などの他の形状のナットの締めつけに用いられないものである。
【発明の概要】
【発明が解決しようとする課題】
【０００３】
ナットに錆びが発生した場合には、レンチによる支持力が低下するため、ナットを緩めにくくなりがちであり、レンチからナットの抜けが発生した場合、ナットの外形を傷めてしまう。さらに、従来のレンチは、ナットを一回締め付けた後の復帰作業が困難なもので、具体的にいえば、レンチでナットを一回締め付けた後、レンチをキャップナットから外してキャップナットに係止させるように復帰させ、ナットを締め付ける操作を繰り返す必要がある。また、従来のレンチでものを締め付ける場合には、ウォームギヤの調節を繰り返すことでレンチの開口幅を調整する必要がある。なお、締緩を繰り返す操作により、開口部のがたつきが生じやすくなるため、締緩作業が困難となってしまう。また、パイプレンチは、主にパイプ状のものを締め付けに用いられる。パイプレンチは比較的重くて、上顎部及び下顎部に歯がそれぞれ設けられることで被締付物を傷めやすくなるため、その適用範囲が限られる。
【０００４】
本発明の目的は、様々なナットやパイプ状のものに適用し、直接リセット可能なＶ字型のバイオニックレンチを提供することである。
【課題を解決するための手段】
【０００５】
上述した目的を達成するために、本発明に係るＶ字型のバイオニックレンチは、ハンドルと、ハンドルに設けられる固定顎と、可動顎と、ウォームギヤと、ラックとを含む。前記可動顎は、前記ラックに設けられる。前記ウォームギヤは、前記ハンドルに設けられて前記ラックに噛合される。前記可動顎と前記固定顎との挟持面は、Ｖ字型の開口に成形される。
【０００６】
一実施形態では、前記固定顎は、固定顎本体及び楔形スライダーを含む。前記楔形スライダーは、前記固定顎本体に固定的に設けられる。前記楔形スライダーと前記可動顎との挟持面は、Ｖ字型の開口に成形される。
【０００７】
一実施形態では、前記固定顎は、固定顎本体、楔形スライダー及び柱形スライドレールを含む。前記柱形スライドレールは、前記楔形スライダーの挟持面に対向する背面に固定的に設けられる。前記固定顎本体には、前記柱形スライドレールを収容可能なシュート孔が設けられる。前記楔形スライダーと前記可動顎との挟持面は、Ｖ字型の開口に成形される。
【０００８】
一実施形態では、前記Ｖ字型のバイオニックレンチは、バネ及びバネピンをさらに含む。前記柱形スライドレールの前端には、バネフックが設けられる。前記バネピンは、前記固定顎本体の外部から挿入されて、前記柱形スライドレールの後端に位置する。前記バネは、一端が前記バネフックに掛けられ、他端が前記バネピンに掛けられるように構成される。
【０００９】
一実施形態では、前記Ｖ字型のバイオニックレンチは、ストッパピンをさらに含む。前記柱形スライドレールの両端には、ストッパブロックがそれぞれ設けられる。前記バネは、２つの前記ストッパブロックの間に位置する。前記ストッパピンは、前記固定顎本体を貫通して、前記バネピンと前記柱形スライドレールの後端におけるストッパブロックとの間に位置する。
【００１０】
一実施形態では、前記楔形スライダーの挟持面の根元部は、前記可動顎の挟持面と平行になる平面状に成形される。前記楔形スライダーの挟持面は、前記根元部から上に向かって鋸刃状の斜面に成形される。
【発明の効果】
【００１１】
本発明では、使用時に、可動顎と固定顎との挟持面がＶ字型の開口に成形されることから、従来のレンチで被締付物を締め付ける場合にウォームギヤの調節を繰り返すことでレンチの開口幅を調整する手間を省くことができ、Ｖ字型の開口から被締付物を挿入してワンステップ且つ正確に挟持することができ、快適な操作が可能となる。また、被締付物をＶ字型の開口の先端に挟持するだけで締め付けることができる。このため、従来のレンチと比べて、本発明に係るＶ字型のバイオニックレンチは操作スペースを小さくすることができる。さらに、本発明に係るＶ字型のバイオニックレンチは、より大きいナットの締緩に用いられるとともに挟持を容易にする。また、本発明では、歯面及び平面によるＶ字型の挟持により、レンチを容易にリセットするとともに、ナットを締め付ける場合に抜き出すことがない。なお、楔形スライダーの構成により、被締付物は受圧面積が大きくなり、付勢される方向が多くなり、より均一に付勢される。その結果、本発明に係るＶ字型のバイオニックレンチは、小さい操作スペースで被締付物を柔軟に操作できるほか、従来のレンチで緩められないナットやパイプ状のものを緩めることができ、パイプレンチが重くて被締付物を傷めるといった欠点を克服することができる。
【図面の簡単な説明】
【００１２】
【図１】本発明の第１実施形態に係るＶ字型のバイオニックレンチの外観図である。
【図２】本発明の第２実施形態に係るＶ字型のバイオニックレンチの外観図である。
【図３】本発明の第２実施形態に係るＶ字型のバイオニックレンチの断面図である。
【図４】本発明の第２実施形態の楔形スライダーの模式的斜視図である。
【図５】本発明の第２実施形態に係るＶ字型のバイオニックレンチでパイプ状のものを締め付ける状態を示す図である。
【図６】本発明の第２実施形態に係るＶ字型のバイオニックレンチで六角ナットを締め付ける状態を示す図である。
【図７】本発明の第３実施形態に係るＶ字型のバイオニックレンチの外観図である。
【図８】本発明の第４実施形態の楔形スライダーの構成を示す図である。
【発明を実施するための形態】
【００１３】
以下、本発明の目的、特徴及び利点をより明確にするために、図面を参照しながら、本発明の好適な実施形態について詳しく説明する。以下の好適な実施形態は、単に本発明の説明用として提供するものであって、本発明を制限するためのものではない。
【００１４】
（第１実施形態）
図１は、本発明の第１実施形態に係るＶ字型のバイオニックレンチの外観図である。図１に示すように、本実施形態に係るＶ字型のバイオニックレンチは、ハンドル１、ハンドル１に設けられる固定顎２、可動顎３、ウォームギヤ４及びラック５を含む。固定顎２は、固定顎本体２１及び楔形スライダー２２を含む。楔形スライダー２２は、固定顎本体２１と一体成形される。楔形スライダー２２の挟持面は、鋸刃状の斜面に成形される。なお、楔形スライダー２２と可動顎３との挟持面は、Ｖ字型の開口に成形される。
【００１５】
可動顎３は、ラック５に設けられる。ウォームギヤ４は、ラック５に噛合される。ウォームギヤ４及びラック５は、ハンドル１に設けられる。使用時に、ウォームギヤ４を調節することで、ラック５がウォームギヤ４と協働して可動顎３を適切な位置に移動させ、Ｖ字型の開口に被締付物を挟持する。本発明では、Ｖ字型の開口で被締付物をワンステップ且つ正確に挟持することができ、快適な操作が可能となる。
【００１６】
（第２実施形態）
図２及び図３は、それぞれ本発明の第２実施形態に係るＶ字型のバイオニックレンチの外観図及び断面図である。第２実施形態は、固定顎２が固定顎本体２１、楔形スライダー２２及び柱形スライドレール２３を含む点と、柱形スライドレール２３が楔形スライダー２２の挟持面に対向する背面に固定的に設けられる点と、柱形スライドレール２３を収容可能なシュート孔が固定顎本体２１に設けられる点とで第１実施形態と相違する。また、楔形スライダー２２と可動顎３との挟持面は、Ｖ字型の開口に成形される。
【００１７】
図３及び図４に示すように、本実施形態に係るＶ字型のバイオニックレンチは、バネ６、バネピン７、ストッパピン８及びストッパブロック９をさらに含む。柱形スライドレール２３の前端には、バネフック２３１が設けられる。バネピン７は、固定顎本体２１の外部から挿入される。バネ６は、一端がバネフック２３１に掛けられ、他端がバネピン７に掛けられるように構成される。
【００１８】
ストッパブロック９は２つであって、柱形スライドレール２３の両端にそれぞれ設けられる。装着後、バネ６及びバネピン７は、いずれも２つのストッパブロック９の間に位置する。また、ストッパピン８は、固定顎本体２１を貫通して、バネピン７と柱形スライドレール２３の後端におけるストッパブロック９との間にきちんと位置するようになる。
【００１９】
使用時に、図５及び図６に示すように、バネピン７が固定顎本体２１に固定的に設けられ、バネ６の一端がバネピン７に固定的に設けられ、その他端がバネフック２３１に掛けられるようになる。このため、本発明では、使用時に、楔形スライダー２２が被締付物から外方向への付勢力を受けて外側へ適切に移動する。その外方向への付勢力が解消されると、バネ６は、楔形スライダー２２を復帰させる。また、ストッパピン８の設置により、楔形スライダー２２は一定の移動スペースを有することになる。すなわち、ストッパブロック９の限界位置としては、シュート孔２１１の底端まで移動したり、ストッパピン８と接触したりすることが可能である。この移動スペースにより、本発明は、被締付物の形状に応じて、バイオニックレンチと被締付物との噛合位置を効果的に調整することができ、被締付物をバイオニックレンチに最適且つ最も密に噛合することができる。その結果、被締付物の、Ｖ字型のバイオニックレンチから付勢力を受ける接触面の面積を大幅に増大させることができる。通常のレンチと比べて、本発明のＶ字型のバイオニックレンチは、同じ力で同じ被締付物を締め付ける場合に被締付物の受圧面積を大きくするため、単位面積あたりの受圧が弱くなる。こうすることで、被締付物が過剰に付勢されることで被締付物に磨耗変形を生じるのを効果的に防ぐことができる。なお、同じ考え方から、本実施形態に係るＶ字型のバイオニックレンチは、被締付物との接触面積が広いため、受圧の限界範囲も広くなる。このように、従来のレンチで従来の多くの被締付物を緩める場合に磨耗変形を生じる問題や、従来のレンチで従来の多くの被締付物を緩めることができない問題を解決することができる。
【００２０】
（第３実施形態）
図７は、本発明の第３実施形態に係るＶ字型のバイオニックレンチの外観図である。第３実施形態は、楔形スライダー２２の挟持面の根元部２２１が平面状に成形され、この挟持面が根元部２２１から上に向かって鋸刃状の斜面２２２に成形される点で第２実施形態と相違する。このような構成により、ナットを締め付ける必要がある場合には、ナットの締め付け終期にバイオニックレンチを強く付勢する必要がある。この際、ナットはバイオニックレンチの平面状の位置に位置するとともに、ナットの平面が平面状の構造に接触するようになる。これにより、強い付勢でナットを傷めるのを防ぐことができる。
【００２１】
（第４実施形態）
図８は、本発明の第４実施形態の楔形スライダーの構成を示す図である。第４実施形態は、楔形スライダー２２が柱形スライドレール２３と一体成形される点と、柱形スライドレール２３に凹部２３２が設けられ、ストッパピン８が固定顎本体２１を貫通した後に凹部２３２の中央にきちんと位置する点とで第２実施形態と相違する。本実施形態では、使用時に、楔形スライダー２２が被締付物から外方向への付勢力を受けて外側へ適切に移動する場合、ストッパピン８が凹部２３２のスペース内に変位する。
【００２２】
本発明の好適な実施形態を前述の通り開示したが、これらは決して本発明を限定するものではない。当業者であれば本発明の精神及び範囲を含む各種の変動や潤色は、本発明の保護を求める範囲内に属するものである。本発明の全ての範囲は特許請求の範囲を基準とすべきである。
【図１】
2017526547.tif 000003
【図２】
2017526547.tif 000004
【図３】
2017526547.tif 000005
【図４】
2017526547.tif 000006
【図５】
2017526547.tif 000007
【図６】
2017526547.tif 000008
【図７】
2017526547.tif 000009
【図８】
2017526547.tif 000010
【国際調査報告】
2017526547.tif 000011
2017526547.tif 000012
2017526547.tif 000013
2017526547.tif 000014
2017526547.tif 000015
2017526547.tif 000016